(57)【要約】【課題】伝送ポイントを含む参照信号ポートの発見方法を提供する。【解決手段】１つ又はそれ以上の参照信号パターンのセットを表示する情報を第１の伝送ポイントから受信する段階を含み、表示された参照信号パターンの１つ又はそれ以上のセットの少なくとも１つは、１つ又はそれ以上の他の伝送ポイントの１つに対応し、前記方法は更に、参照信号パターンの表示されたセットに関してチャネル品質を測定する段階と、表示された参照信号パターンの１つ又はそれ以上のセットに関して測定されるチャネル品質の指標を第１の伝送ポイントにレポートする段階とを含む。【選択図】図４
2018023130.tif 000002
【特許請求の範囲】
【請求項１】
１つ又はそれ以上の参照信号パターンのセットを表示する情報を第１の伝送ポイントから受信し、該表示された１つ又はそれ以上の参照信号パターンのセットの少なくとも１つが、１つ又はそれ以上の他の伝送ポイントの１つに対応する段階と、
前記表示された参照信号パターンの１つ又はそれ以上のセットに関するチャネル品質を測定する段階と、
前記表示された参照信号パターンの１つ又はそれ以上のセットに関して測定されたチャネル品質の指標を、第１の伝送ポイントにレポートする段階と、
を含む方法。
【請求項２】
前記情報が、ビットのパターンを含み、該ビットの各々が、チャネル品質に関して測定されるべき参照信号パターンのセットを示す、請求項１に記載の方法。
【請求項３】
前記パターンが、ゼロパワーチャネル状態情報−参照信号ビットマップを含む、請求項２に記載の方法。
【請求項４】
前記方法は、チャネル品質に関して測定されるべきユーザ装置固有の参照信号パターンの表示を受信する段階を更に含み、
前記測定する段階は、チャネル品質に関して前記ユーザ装置固有の参照信号パターンを測定する段階を更に含み、
前記レポートする段階は、前記表示された参照信号パターンの１つ又はそれ以上のセット及び前記ユーザ装置固有の参照信号パターンの両方に関して測定されるチャネル品質をレポートする段階を更に含む、請求項１に記載の方法。
【請求項５】
前記測定されるチャネル品質の指標をレポートする段階は、前記表示された参照信号パターンの１つ又はそれ以上のセットの少なくとも１つに関して、対応する測定されるチャネル品質が所定の閾値に達しているか否かをレポートする段階を更に含む、請求項１に記載の方法。
【請求項６】
前記測定する段階は、前記表示された参照信号パターンの１つ又はそれ以上のセットの少なくとも１つに関して、複数のポートに関するチャネル品質を測定する段階を更に含み、
前記レポートする段階は、前記表示された参照信号パターンの１つ又はそれ以上のセットの少なくとも１つ及び対応する複数のポートに関して、対応する測定されるチャネル品質が所定の閾値に達しているか否かをレポートする段階を更に含む、請求項１に記載の方法。
【請求項７】
前記測定する段階は、チャネル状態情報−参照信号レポート要求メッセージに応じて実行される、請求項１に記載の方法。
【請求項８】
前記レポートする段階は、チャネル状態情報−参照信号品質レポートメッセージを使用して実行される、請求項１に記載の方法。
【請求項９】
前記第１の伝送ポイントが、セル内にあり、
前記１つ又はそれ以上の他の伝送ポイントが、複数の他の伝送ポイントであり、
前記複数の他の伝送ポイントの少なくとも１つが、前記セル内にあり、
前記複数の他の伝送ポイントの更に別の少なくとも１つが、１つ又はそれ以上の隣接セル内にある、請求項１に記載の方法。
【請求項１０】
前記チャネル品質を測定する段階は、前記表示された参照信号パターンの１つ又はそれ以上のセットが信号品質に関して測定される必要があることを示す、第１の伝送ポイントからのシグナリングに応じて実行される、請求項１に記載の方法。
【請求項１１】
前記受信する段階、前記測定する段階、及び前記レポートする段階は、ユーザ装置によって実行され、前記チャネル品質を測定する段階は、前記表示された参照信号パターンの１つ又はそれ以上のセットが信号品質に関して測定される必要があることを示す前記ユーザ装置の内部構成に応じて実行される、請求項１に記載の方法。
【請求項１２】
１つ又はそれ以上のプロセッサと、
コンピュータプログラムコードを含む１つ又はそれ以上のメモリと、
を備える装置であって、
前記１つ又はそれ以上のメモリ及び前記コンピュータプログラムコードは、前記１つ又はそれ以上のプロセッサを用いて、前記装置に、少なくとも、
１つ又はそれ以上の参照信号パターンのセットを表示する情報を第１の伝送ポイントから受信し、該表示された１つ又はそれ以上の参照信号パターンのセットの少なくとも１つが、１つ又はそれ以上の他の伝送ポイントの１つに対応する段階と、
前記表示された参照信号パターンの１つ又はそれ以上のセットに関するチャネル品質を測定する段階と、
前記表示された参照信号パターンの１つ又はそれ以上のセットに関して測定されたチャネル品質の指標を、第１の伝送ポイントにレポートする段階と、
を実行させるように構成される装置。
【請求項１３】
前記情報が、ビットのパターンを含み、該ビットの各々が、チャネル品質に関して測定されるべき参照信号パターンのセットを示す、請求項１２に記載の装置。
【請求項１４】
前記パターンが、ゼロパワーチャネル状態情報−参照信号ビットマップを含む、請求項１３に記載の装置。
【請求項１５】
前記少なくとも１つのメモリ及び前記コンピュータプログラムコードは更に、前記少なくとも１つのプロセッサを用いて、前記装置に、少なくとも、
チャネル品質に関して測定されるべきユーザ装置固有の参照信号パターンの表示を受信する段階を実行させるように構成され、
前記測定する段階は、チャネル品質に関して前記ユーザ装置固有の参照信号パターンを測定する段階を更に含み、
前記レポートする段階は、前記表示された参照信号パターンの１つ又はそれ以上のセット及び前記ユーザ装置固有の参照信号パターンの両方に関して測定されるチャネル品質をレポートする段階を更に含む、請求項１２に記載の装置。
【請求項１６】
測定されるチャネル品質の指標をレポートする段階は、前記表示された参照信号パターンの１つ又はそれ以上のセットの少なくとも１つに関して、対応する測定されるチャネル品質が所定の閾値に達しているか否かをレポートする段階を更に含む、請求項１２に記載の装置。
【請求項１７】
前記測定する段階は、前記表示された参照信号パターンの１つ又はそれ以上のセットの少なくとも１つに関して、複数のポートに関するチャネル品質を測定する段階を更に含み、
前記レポートする段階は、前記表示された参照信号パターンの１つ又はそれ以上のセットの少なくとも１つ及び対応する複数のポートに関して、対応する測定されるチャネル品質が所定の閾値に達しているか否かをレポートする段階を更に含む、請求項１２に記載の装置。
【請求項１８】
前記測定する段階は、チャネル状態情報−参照信号レポート要求メッセージに応じて実行される、請求項１２に記載の装置。
【請求項１９】
前記レポートする段階は、チャネル状態情報−参照信号品質レポートメッセージを使用して実行される、請求項１に記載の装置。
【請求項２０】
前記第１の伝送ポイントが、セル内にあり、
前記１つ又はそれ以上の他の伝送ポイントが、複数の他の伝送ポイントであり、
前記複数の他の伝送ポイントの少なくとも１つが、前記セル内にあり、
前記複数の他の伝送ポイントの更に別の少なくとも１つが、１つ又はそれ以上の隣接セル内にある、請求項１２に記載の装置。
【請求項２１】
前記チャネル品質を測定する段階は、前記表示された参照信号パターンの１つ又はそれ以上のセットが信号品質に関して測定される必要がさることを示す第１の伝送ポイントからのシグナリングに応じて実行される、請求項１２に記載の装置。
【請求項２２】
ユーザ装置を含む装置であって、前記チャネル品質を測定する段階は、前記表示された参照信号パターンの１つ又はそれ以上のセットが信号品質に関して測定される必要があることを示す前記ユーザ装置の内部構成に応じて実行される、請求項１２に記載の装置。
【請求項２３】
コンピュータと共に使用するために組み込まれるコンピュータプログラムコードを保持するコンピュータ可読メモリを含むコンピュータプログラム製品であって、前記コンピュータプログラムコードは、
１つ又はそれ以上の参照信号パターンのセットを表示する情報を第１の伝送ポイントから受信し、前記表示された参照信号パターンの１つ又はそれ以上のセットの少なくとも１つが、１つ又はそれ以上の他の伝送ポイントの１つに対応するコードと、
前記表示された参照信号パターンの１つ又はそれ以上のセットに関するチャネル品質を測定するためのコードと、
前記表示された参照信号パターンの１つ又はそれ以上のセットに関して測定されたチャネル品質の指標を第１の伝送ポイントにレポートするためのコードと、
を含むコンピュータプログラム製品。
【請求項２４】
前記情報が、ビットのパターンを含み、該ビットの各々が、チャネル品質に関して測定されるべき参照信号パターンのセットを示す、請求項２３に記載のコンピュータプログラム製品。
【請求項２５】
前記パターンが、ゼロパワーチャネル状態情報−参照信号ビットマップを含む、請求項２４に記載のコンピュータプログラム製品。
【請求項２６】
チャネル品質に関して測定されるべきユーザ装置固有の参照信号パターンの表示を受信するためのコードを更に含み、
前記測定する段階は、チャネル品質に関して前記ユーザ装置固有の参照信号パターンを測定する段階を更に含み、
前記レポートする段階は、前記表示された参照信号パターンの１つ又はそれ以上のセット及び前記ユーザ装置固有の参照信号パターンの両方に関して測定されるチャネル品質をレポートする段階を更に含む、請求項２３に記載のコンピュータプログラム製品。
【請求項２７】
測定されるチャネル品質の指標をレポートする段階は、前記表示された参照信号パターンの１つ又はそれ以上のセットの少なくとも１つに関して、対応する測定されるチャネル品質が所定の閾値に達しているか否かをレポートする段階を更に含む、請求項２３に記載のコンピュータプログラム製品。
【請求項２８】
前記測定する段階は、前記表示された参照信号パターンの１つ又はそれ以上のセットの少なくとも１つに関して、複数のポートに関するチャネル品質を測定する段階を更に含み、
前記レポートする段階は、前記表示された参照信号パターンの１つ又はそれ以上のセットの少なくとも１つ及び対応する複数のポートに関して、対応する測定されるチャネル品質が所定の閾値に達しているか否かをレポートする段階を更に含む、請求項２３に記載のコンピュータプログラム製品。
【請求項２９】
前記測定する段階は、チャネル状態情報−参照信号レポート要求メッセージに応じて実行される、請求項２３に記載のコンピュータプログラム製品。
【請求項３０】
前記レポートする段階は、チャネル状態情報−参照信号品質レポートメッセージを使用して実行される、請求項２３に記載のコンピュータプログラム製品。
【請求項３１】
前記第１の伝送ポイントが、セル内にあり、
前記１つ又はそれ以上の他の伝送ポイントが、複数の他の伝送ポイントであり、
前記複数の他の伝送ポイントの少なくとも１つが、前記セル内にあり、
前記複数の他の伝送ポイントの更に別の少なくとも１つが、１つ又はそれ以上の隣接セル内にある、請求項２３に記載のコンピュータプログラム製品。
【請求項３２】
前記チャネル品質を測定する段階は、前記表示された参照信号パターンの１つ又はそれ以上のセットが信号品質に関して測定される必要があることを示す第１の伝送ポイントからのシグナリングに応じて実行される、請求項２３に記載のコンピュータプログラム製品。
【請求項３３】
前記受信する段階、前記測定する段階、及び前記レポートする段階は、ユーザ装置によって実行され、前記チャネル品質を測定する段階は、前記表示された参照信号パターンの１つ又はそれ以上のセットが信号品質に関して測定される必要があることを示す前記ユーザ装置の内部構成に応じて実行される、請求項２３に記載のコンピュータプログラム製品。
【請求項３４】
１つ又はそれ以上の参照信号パターンのセットを表示する情報を第１の伝送ポイントからユーザ装置に伝送し、前記表示された参照信号パターンの１つ又はそれ以上のセットの少なくとも１つが１つ又はそれ以上の他の伝送ポイントの１つに対応する段階と、
前記表示された参照信号パターンの１つ又はそれ以上のセットに関して測定されるチャネル品質の指標を前記ユーザ装置から受信する段階と、
を含む方法。
【請求項３５】
前記ユーザ装置が測定すべき参照信号パターンの前記ユーザ装置固有のセットを判定する段階と、
前記ユーザ装置が測定すべき参照信号パターンの前記判定されたユーザ装置固有のセットの表示を前記ユーザ装置に送る段階と、
を更に含む、請求項３４に記載の方法。
【請求項３６】
前記測定されたチャネル品質に関して、前記ユーザ装置が前記第１の伝送ポイントに提供するチャネル品質情報を判定する段階と、
前記判定されたチャネル品質情報の表示を前記ユーザ装置に送る段階と、
を更に含む、請求項３４に記載の方法。
【請求項３７】
チャネル状態情報−参照信号レポート要求メッセージを前記ユーザ装置に送信して、前記ユーザが前記チャネル品質を測定するように要求する段階を更に含む、請求項３４に記載の方法。
【請求項３８】
前記受信する段階は、チャネル状態情報−参照信号品質レポートメッセージを受信する段階を含む、請求項３４に記載の方法。
【請求項３９】
前記第１の伝送ポイントが、セル内にあり、
前記１つ又はそれ以上の他の伝送ポイントが、複数の他の伝送ポイントであり、
前記複数の他の伝送ポイントの少なくとも１つが、前記セル内にあり、
前記複数の他の伝送ポイントの更に別の少なくとも１つが、１つ又はそれ以上の隣接セル内にある、請求項３４に記載の方法。
【請求項４０】
前記受信する段階に先だって、前記１つ又はそれ以上の参照信号パターンのセットが信号品質に関して測定されるべきであることの表示を前記ユーザ装置に送る段階を更に含む、請求項３４に記載の方法。
【請求項４１】
１つ又はそれ以上のプロセッサと、
コンピュータプログラムコードを含む１つ又はそれ以上のメモリと、
を備える装置であって、
前記１つ又はそれ以上のメモリ及び前記コンピュータプログラムコードは、前記１つ又はそれ以上のプロセッサを用いて、前記装置に、少なくとも、
１つ又はそれ以上の参照信号パターンのセットを表示する情報を第１の伝送ポイントからユーザ装置に伝送し、該表示された参照信号パターンの１つ又はそれ以上のセットの少なくとも１つが、１つ又はそれ以上の他の伝送ポイントの１つに対応する段階と、
前記表示された参照信号パターンの１つ又はそれ以上のセットに関して測定されるチャネル品質の指標を、前記ユーザ装置から受信する段階と、
を実行させるように構成される装置。
【請求項４２】
前記少なくとも１つのメモリ及び前記コンピュータプログラムコードは更に、前記少なくとも１つのプロセッサを用いて、前記装置に、少なくとも、
前記ユーザ装置が測定すべき参照信号パターンの前記ユーザ装置固有のセットを判定する段階と、
前記ユーザ装置が測定すべき参照信号パターンの前記判定されたユーザ装置固有のセットの表示を前記ユーザ装置に送る段階と、
を実行させるように構成される、請求項４１に記載の装置。
【請求項４３】
前記少なくとも１つのメモリ及び前記コンピュータプログラムコードは、前記少なくとも１つのプロセッサを用いて、前記装置に、少なくとも、
前記測定されたチャネル品質に関して、前記ユーザ装置が前記第１の伝送ポイントに提供するチャネル品質情報を判定する段階と、
前記判定されたチャネル品質情報の表示を前記ユーザ装置に送る段階と、
を更に実行させるように構成される、請求項４１に記載の装置。
【請求項４４】
前記少なくとも１つのメモリ及び前記コンピュータプログラムコードは、前記少なくとも１つのプロセッサを用いて、前記装置に、少なくとも、
チャネル状態情報−参照信号レポート要求メッセージを前記ユーザ装置に送信して、前記ユーザ装置が前記チャネル品質を測定するように要求する段階を、
を更に実行させるように構成される、請求項４１に記載の装置。
【請求項４５】
前記受信する段階は、チャネル状態情報−参照信号品質レポートメッセージを受信する段階を含む、請求項４１に記載の装置。
【請求項４６】
前記第１の伝送ポイントが、セル内にあり、
前記１つ又はそれ以上の他の伝送ポイントが、複数の他の伝送ポイントであり、
前記複数の他の伝送ポイントの少なくとも１つが、前記セル内にあり、
前記複数の他の伝送ポイントの更に別の少なくとも１つが、１つ又はそれ以上の隣接セル内にある、請求項４１に記載の装置。
【請求項４７】
前記少なくとも１つのメモリ及び前記コンピュータプログラムコードは、前記少なくとも１つのプロセッサを用いて、前記装置に、少なくとも、
前記受信する段階に先だって、前記１つ又はそれ以上の参照信号パターンのセットが信号品質に関して測定される必要があることの表示を前記ユーザ装置に信号で送る段階を、を更に実行させるように構成される、請求項４１に記載の装置。
【請求項４８】
コンピュータと共に使用するために組み込まれるコンピュータプログラムコードを保持するコンピュータ可読メモリを含むコンピュータプログラム製品であって、前記コンピュータプログラムコードは、
１つ又はそれ以上の参照信号パターンのセットを表示する情報を第１の伝送ポイントからユーザ装置に伝送し、該表示された参照信号パターンの１つ又はそれ以上のセットの少なくとも１つが、１つ又はそれ以上の他の伝送ポイントの１つに対応するコードと、
前記表示された参照信号パターンの１つ又はそれ以上のセットに関して測定されるチャネル品質の指標を、前記ユーザ装置から受信するためのコードと、
を含むコンピュータプログラム製品。
【請求項４９】
前記ユーザ装置が測定すべき参照信号パターンの前記ユーザ装置固有のセットを判定するためのコードと、
前記ユーザ装置が測定すべき参照信号パターンの前記判定されたユーザ装置固有のセットの表示を前記ユーザ装置に送るためのコードと、
を更に含む、請求項４８に記載のコンピュータプログラム製品。
【請求項５０】
前記測定されるチャネル品質に関して、前記ユーザ装置が前記第１の伝送ポイントに提供するチャネル品質情報を判定するためのコードと、
前記判定されたチャネル品質情報の表示を前記ユーザ装置に送るためのコードと、
を更に含む、請求項４８に記載のコンピュータプログラム製品。
【請求項５１】
チャネル状態情報−参照信号レポート要求メッセージを前記ユーザ装置に送信して、前記ユーザ装置が前記チャネル品質を測定するように要求するためのコードを更に含む、請求項４８に記載のコンピュータプログラム製品。
【請求項５２】
前記受信する段階は、チャネル状態情報−参照信号品質レポートメッセージを受信する段階を含む、請求項４８に記載のコンピュータプログラム製品。
【請求項５３】
前記第１の伝送ポイントが、セル内にあり、
前記１つ又はそれ以上の他の伝送ポイントが、複数の他の伝送ポイントであり、
前記複数の他の伝送ポイントの少なくとも１つが、前記セル内にあり、
前記複数の他の伝送ポイントの更に別の少なくとも１つが、１つ又はそれ以上の隣接セル内にある、請求項４８に記載のコンピュータプログラム製品。
【請求項５４】
前記受信する段階に先だって、前記１つ又はそれ以上の参照信号パターンのセットが信号品質に関して測定される必要があることの表示を前記ユーザ装置に送る段階を含む、請求項４８に記載のコンピュータプログラム製品。
【発明の詳細な説明】
【技術分野】
【０００１】
本発明は、全体的には無線周波数通信に関し、より詳細には、無線デバイスのモビリティに関する。
【背景技術】
【０００２】
本セクションは、特許請求の範囲に詳述される本発明に関する背景技術又は背景を説明することを意図している。本明細書の説明は、達成することができるが、従来、必ずしも着想又は達成されたものではない概念を含むことができる。従って、本明細書において特に表示しない限り、本セクションで説明される内容は、本出願の明細書及び特許請求の範囲に対する先行技術ではなく、本セクションに含まれるという理由で従来技術と認められるものではない。
【０００３】
本明細書及び／又は添付図面で使用する場合がある以下の略語は、以下のように定義される。
３ＧＰＰ        第３世代移動体通信システムの標準化プロジェクト
ＢＳ            基地局
ＣＯＭＰ        マルチポイント協調伝送
ＣＳＩ          チャネル状態情報
ＣＳＩ−ＲＳ    チャネル状態情報−参照シンボル
ＣＱＩ          チャネル品質指標
ＤＬ            ダウンリンク（基地局からユーザ装置向けの）
ＤＭ−ＲＳ      復調参照シンボル
ｅＮＢ          Ｅ−ＵＴＲＡＮ  Ｎｏｄｅ  Ｂ(進化型ノードＢ、更にはｅＮｏｄｅＢ)Ｅ−ＵＴＲＡＮ  進化型ＵＴＲＡＮ（ＬＴＥ）
ＬＴＥ          ＵＴＲＡＮロング・ターム・エボリューション（Ｅ−ＵＴＲＡＮ）
ＬＴＥ−Ａ      ＬＴＥアドバンスト
ＭＣＳ          変調・符号化方式
ＭＩＭＯ        マルチ入力マルチ出力
ＭＭＥ          モビリティ管理エンティティ
ＮＣＥ          ネットワーク制御要素
ＰＤＳＣＨ      物理ダウンリンク共有チャネル
ＰＭＩ          プリコード化マトリクス指標
ＰＵＣＣＨ      物理アップリンク制御チャネル
ＰＵＳＣＨ      物理アップリンク共有チャネル
ＯＦＤＭ        直交周波数分割多重方式
ＯＦＤＭＡ      直交周波数分割多元接続
Ｒｅｌ          リリース
ＴＭ            伝送モード
ＴＳ            技術標準
ＲＡＴ          無線アクセス技術
ＲＲＨ          リモート無線ヘッド
ＲＳ            参照信号／シンボル
ＲＳＲＰ        参照シンボル受信電力
ＲＳＲＰ        参照シンボル受信品質
ＳＣ−ＦＤＭＡ  シングルキャリア周波数分割多元接続
ＳＧＷ          サービングゲートウェイ
ＳＲＳ          サウンディング参照信号
ＵＥ            モバイルステーション、モバイルノード、又はモバイルターミナル等のユーザ装置
ＵＬ            アップリンク（ユーザ装置から基地局向けの）
ＵＴＲＡＮ      ユニバーサル地上波無線アクセスネットワーク
ＷＣＤＭＡ(登録商標)      広帯域符号分割多元接続
【０００４】
マルチポイント協調伝送（ＣＯＭＰ）及び受信は、特にセルエッジデータレートを高めて、セルエリア全体にわたってエンドユーザに適切なデータレート・エクスペリエンスを提供するために、３ＧＰＰ  ＬＴＥ−Ａで研究されている技術の１つである。ＣＯＭＰ技術は、ＵＥへのＤＬ伝送及びＵＥからのＵＬ受信における様々な伝送／受信ポイント（例えば、ｅＮｏｄｅＢ、ＲＲＨ、ホットスポット、ホームｅＮｏｄｅＢ、他）との間での協調を高めることを含む。
【０００５】
既にＲｅｌ．１０において、３ＧＰＰにおける関連する検討課題があるが、これは保留にされている。最近、この検討課題は、検討課題の種類に照らして２０１１年１月に３ＧＰＰに対して再開されている。更に、研究すべき様々なシナリオは、検討課題の段階に関して３ＧＰＰにおいて同意されている。同意されているシナリオの１つ（ＲＡＮ１＃６３ｂｉｓ  ｍｅｅｔｉｎｇ、Ｄｕｂｌｉｎ、２０１１年１月）は、ＲＲＨにより生成される伝送／受信ポイントがマクロセルと同一のセルＩＤを有する、マクロセルカバレッジ内での低電力ＲＲＨを有するネットワークに焦点を合わせている。この状況は、「シングルセルＣＯＭＰ」として本明細書に示されている。
【発明の概要】
【課題を解決するための手段】
【０００６】
例示的な方法は、１つ又はそれ以上の参照信号パターンのセットを表示する情報を第１の伝送ポイントから受信する段階を含み、表示された１つ又はそれ以上の参照信号パターンのセットの少なくとも１つは、１つ又はそれ以上の他の伝送ポイントの１つに対応し、前記方法は更に、表示された１つ又はそれ以上の参照信号パターンのセットに関してチャネル品質を測定する段階と、表示された１つ又はそれ以上の参照信号パターンのセットに関して測定されるチャネル品質の指標を第１の伝送ポイントにレポートする段階とを含む。
【０００７】
例示的な装置は、１つ又はそれ以上のプロセッサ、及びコンピュータプログラムコードを含む１つ又はそれ以上のメモリを含む。１つ又はそれ以上のメモリ及びコンピュータプログラムコードは、１つ又はそれ以上のプロセッサと共に、少なくとも次の段階、すなわち、１つ又はそれ以上の参照信号パターンのセットを表示する情報を第１の伝送ポイントから受信する段階であって、表示された参照信号パターンの１つ又はそれ以上のセットの少なくとも１つが１つ又はそれ以上の他の伝送ポイントの１つに対応する段階と、表示された参照信号パターンの１つ又はそれ以上のセットに関してチャネル品質を測定する段階と、表示された参照信号パターンの１つ又はそれ以上のセットに関して測定されるチャネル品質の指標を第１の伝送ポイントにレポートする段階と、を装置に実行させるように構成される。
【０００８】
更なる例示的な実施形態において、コンピュータプログラム製品は、コンピュータと共に使用するために組み込まれるコンピュータプログラムコードを保持するコンピュータ可読メモリを含む。コンピュータプログラムコードは、１つ又はそれ以上の参照信号パターンのセットを表示する情報を第１の伝送ポイントから受信するためのコードを含み、表示された参照信号パターンの１つ又はそれ以上のセットの少なくとも１つが１つ又はそれ以上の他の伝送ポイントの１つに対応し、前記コンピュータプログラムコードは更に、表示された参照信号パターンの１つ又はそれ以上のセットに関してチャネル品質を測定するためのコードと、表示された参照信号パターンの１つ又はそれ以上のセットに関して測定されるチャネル品質の指標を第１の伝送ポイントにレポートするためのコードを含む。
【０００９】
別の例示的な方法は、１つ又はそれ以上の参照信号パターンのセットを表示する情報を第１の伝送ポイントからユーザ装置に伝送する段階を含み、表示された参照信号パターンの１つ又はそれ以上のセットの少なくとも１つが１つ又はそれ以上の他の伝送ポイントの１つに対応し、前記方法は更に、表示された参照信号パターンの１つ又はそれ以上のセットに関して測定されるチャネル品質の指標をユーザ装置から受信する段階を含む。
【００１０】
更に別の例示的な方法は、１つ又はそれ以上のプロセッサと、コンピュータプログラムコードを含む１つ又はそれ以上のメモリとを含む装置を備える。１つ又はそれ以上のメモリ及びコンピュータプログラムコードは、１つ又はそれ以上のプロセッサを用いて、装置に、少なくとも、１つ又はそれ以上の参照信号パターンのセットを表示する情報を第１の伝送ポイントからユーザ装置に伝送する段階であって、表示された参照信号パターンの１つ又はそれ以上のセットの少なくとも１つが１つ又はそれ以上の他の伝送ポイントの１つに対応する段階と、表示された参照信号パターンの１つ又はそれ以上のセットに関して測定されるチャネル品質の指標をユーザ装置から受信する段階と、を実行させるように構成される。
【００１１】
更に別の例示的な方法において、コンピュータプログラム製品は、コンピュータと共に使用するために組み込まれるコンピュータプログラムコードを保持するコンピュータ可読メモリを含む。コンピュータプログラムコードは、１つ又はそれ以上の参照信号パターンのセットを表示する情報を第１の伝送ポイントからユーザ装置に伝送するためのコードを含み、表示された参照信号パターンの１つ又はそれ以上のセットの少なくとも１つが１つ又はそれ以上の他の伝送ポイントの１つに対応し、前記コンピュータプログラムコードは更に、表示された参照信号パターンの１つ又はそれ以上のセットに関して測定されるチャネル品質の指標をユーザ装置から受信するためのコードを含む。
【００１２】
本発明の実施形態の前述の及び他の態様は、添付図面と合わせて参照することにより例示的な実施形態に関する以下の詳細な説明によって更に明白となる。
【図面の簡単な説明】
【００１３】
【図１】本発明の例示的な実施形態を実行するために用いるのに適する様々な電子デバイスの簡略化したブロック図を示す。
【図２】３ＧＰＰ  ＴＳ  ３６．３００の図４を複写したものであり、ＥＵＴＲＡＮシステムの全体アーキテクチャを示し、図１の基地局が、ＬＴＥにおけるｅＮＢ又はＬＴＥ−Ａタイプの無線通信システムとして具体化される例示的な実施形態を示す。
【図３】ＣＳＩ−ＲＳを使用したデータ伝送の手続きを示す図である。
【図４】マクロセル内に複数の伝送ポイントを有するマクロセルの実施例である。
【図５】ユーザ装置により測定されレポートされる、ＵＥ固有に構成されるＣＳＩ−ＲＳポート並びにチャネル及び品質を組み合わせたＣＳＩ−ＲＳミューティングパターンの実施例である。
【図６】ユーザ装置により測定されレポートされる、ＵＥ固有に構成されるＣＳＩ−ＲＳポート並びにチャネル及び品質を組み合わせたＣＳＩ−ＲＳミューティングパターンの実施例である。
【図７】ＣＳＩ−ＲＳミューティングパターンがリソース空間の中で対応するリソース要素にどのようにマッピングされるかについての実施例を示す。
【図８】構成されるＣＳＩ−ＲＳアンテナポートを測定、判定、及びシグナリングするための例示的な手続きを例示するシグナリング図である。
【図９−１】伝送ポイントを含む参照信号ポート発見に関してユーザ装置により実行される例示的な方法のブロック図である。
【図９−２】伝送ポイントを含む参照信号ポート発見に関してユーザ装置により実行される例示的な方法のブロック図である。
【図１０−１】セル内の他の伝送ポイントを含む参照信号ポート発見に関してセル内の伝送ポイントにより実行される例示的な方法のブロック図である。
【図１０−２】セル内の他の伝送ポイントを含む参照信号ポート発見に関してセル内の伝送ポイントにより実行される例示的な方法のブロック図である。
【発明を実施するための形態】
【００１４】
本発明の例示的な実施形態をより詳細に説明する前に、本発明の例示的な実施形態を実行するために用いるのに適する様々な装置の簡略化したブロック図を示す図１を参照する。図１において、無線ネットワーク９０は、ｅＮＢ１２、ＮＣＥ／ＭＭＥ／ＳＧＷ１４、及びＲＲＨ１３０のような伝送ポイントを含む。無線ネットワーク９０は、ノードＢ（基地局）、より具体的にはｅＮＢ１２のようなネットワークアクセスノードを経由して、装置と、例えばＵＥ１０と呼ぶことができるモバイル通信デバイスと無線リンク３５上で通信するように構成される。ネットワーク９０は、ＭＭＥ／ＳＧＷ機能を含むことができるネットワーク制御要素（ＮＣＥ）１４を含むことができ、該ネットワーク制御要素は、リンク２５を通して電話網、及び／又はデータ通信網８５（例えば、インターネット）のような、別のネットワークとの接続を提供する。ＮＣＥ１４は、少なくとも１つのコンピュータ又はデータプロセッサ（ＤＰ）１４Ａのようなコントローラ、及びコンピュータ命令（ＰＲＯＧ）１０Ｃのプログラムを格納するメモリ（ＭＥＭ）１４Ｂとして具体化される少なくとも１つの非一時的コンピュータ可読メモリ媒体を含む。
【００１５】
ＵＥ１０は、少なくとも１つのコンピュータ又はデータプロセッサ（ＤＰ）１０Ａのようなコントローラ、コンピュータ命令（ＰＲＯＧ）１０Ｃのプログラムを格納するメモリ（ＭＥＭ）１０Ｂとして具体化される少なくとも１つの非一時的コンピュータ可読メモリ媒体、及び１つ又はそれ以上のアンテナ１０Ｅを経由するｅＮＢ１２との双方向無線通信のための少なくとも１つの適切な無線周波数（ＲＦ）トランシーバ１０Ｄを含む。また、ｅＮＢ１２は、少なくとも１つのコンピュータ又はデータプロセッサ（ＤＰ）１２Ａのようなコントローラ、コンピュータ命令（ＰＲＯＧ）１２Ｃのプログラムを格納するメモリ（ＭＥＭ）１２Ｂとして具体化される少なくとも１つのコンピュータ可読メモリ媒体、及び１つ又はそれ以上のアンテナ１２Ｅ（一般に、マルチ入力マルチ出力（ＭＩＭＯ）動作使用中は複数）を経由するＵＥ１０との通信のための少なくとも１つの適切なＲＦトランシーバ１２Ｄを含む。ｅＮＢ１２は、データ及び制御パス１３を経由してＮＣＥ１４と接続される。パス１３は、Ｓ１インタフェースとして実装することができる。また、ｅＮＢ１２は、データ及び制御パス１５を経由して別の伝送ポイントに接続することができ、該データ及び制御パス１５は、別の論理基地局の場合はＸ２インタフェースとして実装することができ、又は、リモート無線ヘッド（ＲＲＨ）１３０のような幾つかの伝送ポイントをｅＮＢ１２に接続するための直接的なｅＮｏｄｅＢ内部インタフェース、例えば、光ファイバ接続とすることができる。一般に、ｅＮＢ１２は、１つ又はそれ以上のアンテナ１２Ｅを経由する（図４に示す）単一のマクロセルをカバーする。
【００１６】
本実施例において、伝送ポイント１３０は、少なくとも１つのコンピュータ又はデータプロセッサ（ＤＰ）１３０Ａのようなコントローラ、コンピュータ命令（ＰＲＯＧ）１３０Ｃのプログラムを格納するメモリ（ＭＥＭ）１３０Ｂとして具体化される少なくとも１つのコンピュータ可読メモリ媒体、及び１つ又はそれ以上のアンテナ１３０Ｅ（前述のように、一般に、マルチ入力マルチ出力（ＭＩＭＯ）動作使用中は複数）を経由するＵＥ１０との通信のための少なくとも１つの適切なＲＦトランシーバ１３０Ｄを含む。伝送ポイント１３０は、リンク３６を経由してＵＥ１０と通信する。伝送ポイント１３０は、実施構成次第ではデータ及び制御パス１５を使用してｅＮＢ１２と通信することができる。伝送ポイント１３０は、別のｅＮｏｄｅＢとすること、或いは、例えば、リモート無線ヘッド（ＲＲＨ）によって可能となり、マクロセルサービスエリア内部（図４に示すように）の幾つかの局所的なホットスポットカバレッジ４１０を生成するような、論理的にｅＮＢ１２の一部とすることができる。シングルセルＭＩＭＯに関しては、伝送ポイント１３０の全ては、単一のｅＮＢ１２の完全な制御下にある（図４も参照されたい）。従って、複数の伝送ポイント／ＲＲＨ１３０がそのようなものとして接続される幾つかのユニットが中心に存在する。この概念は、伝送ポイント１３０及びマクロｅＮＢ１２が一緒に中央で制御されるということである。この制御は、一般にマクロｅＮＢの場所であるが、ｅＮＢ及び伝送ポイント１３０に接続される場所とすることもできる。
【００１７】
ＰＲＯＧ  １０Ｃ、１２Ｃ、及び１３０Ｃの少なくとも１つは、関連のＤＰによって実行される場合に、対応する装置が、以下に詳細に説明するような本発明の例示的な実施形態によって作動することを可能にするプログラム命令を含むことを前提としている。すなわち、本発明の例示的な実施形態は、少なくとも部分的に、ＵＥ１０のＤＰ  １０Ａ、及び／又はｅＮＢ１２のＤＰ  １２Ａ、及び／又は基地局１２０のＤＰ  １３０Ａによって実行されるコンピュータソフトウェアによって、ハードウェア（例えば、本明細書において説明される動作の１つ又はそれ以上を実行するように構成される集積回路）によって、又はソフトウェアとハードウェア（及びファームウェア）との組み合わせによって実装することができる。
【００１８】
一般的に、ＵＥ１０の様々な実施形態は、携帯電話、無線機能を有するタブレット、無線通信機能を有する携帯情報端末（ＰＤＡ）、無線通信機能を有するポータブルコンピュータ、無線通信機能を有するデジタルカメラ等の画像取込装置、無線通信機能を有するゲーム装置、無線通信機能を有する音楽記憶装置及び再生装置、無線インターネットアクセス及びブラウジング可能なインターネット装置、並びに前記機能の組合せを組み込むポータブルユニット又は端末を含むことができるが、それらに限定されるものではない。
【００１９】
コンピュータ可読メモリ１０Ｂ、１２Ｂ、及び１３０Ｂは、局所的な技術環境に適するものであれば、どのような種類のものであってもよく、適切なデータ記憶技術、例えば、半導体ベースメモリデバイス、ランダムアクセスメモリ、読み出し専用メモリ、プログラム可能読み出し専用メモリ、フラッシュメモリ、磁気メモリデバイス及びシステム、光メモリデバイス及びシステム、固定メモリ及びリムーバブルメモリのような技術のいずれかを使用して実行することができる。データプロセッサ１０Ａ、１２Ａ、及び１３０Ａは、局所的な技術環境に適するものであれば、どのような種類のものであってもよく、非限定な例として、汎用コンピュータ、特殊目的コンピュータ、マイクロプロセッサ、デジタルシグナルプロセッサ（ＤＳＰ）、及びマルチコアプロセッサアーキテクチャに基づくプロセッサの１つ又はそれ以上を含むことができる。
【００２０】
１つの非限定的な実施形態において、ＢＳ１２は、無線ネットワーク１がロング・ターム・エボリューション（ＬＴＥ）又はＬＴＥアドバンスト（ＬＴＥ−Ａ）Ｅ−ＵＴＲＡＮタイプのネットワークである場合に、ｅＮＢとして具体化することができる。図２は、Ｅ−ＵＴＲＡＮシステムの全体アーキテクチャを示している。ネットワーク９０は、集合的にＭＭＥ／Ｓ−ＧＷとして示されているが、少なくとも１つのサービングゲートウェイ（図２におけるＳ−ＧＷ及び図１におけるＳＧＷ）を含み、少なくとも１つのモビリティ管理エンティティ（ＭＭＥ）を含むことができるコアネットワークを含む。このようなシステムにおいて、ＤＬアクセス技術はＯＦＤＭＡであり、ＵＬアクセス技術はＳＣ−ＦＤＭＡである。
【００２１】
例示的な装置を説明したが、本発明の例示的な実施形態について更に詳細に説明する。本発明の例示的な実施形態は、概してＤＬ  ＣＯＭＰ動作に関するが、具体的には、前述のマルチポイント協調受信及び伝送の想定されるシングルセル動作モード（「シングルセルＣＯＭＰ」）にも関する。
【００２２】
ＬＴＥリリース１０において、主要な新機能の１つは、ＣＳＩ−ＲＳ（チャネル状態情報−参照信号）の導入である。この概念は、例えば１０ｍｓ（ミリ秒）の周期でもって幾つかの選択されたサブフレーム内でＣＳＩ推定の目的で別個のセル固有（共通）のＲＳを伝送することである。図３を参照すると、ＣＳＩ−ＲＳを使用したデータ伝送の手続きが示されている。ＵＥは、ｅＮｏｄｅＢによって伝送されるＣＳＩ−ＲＳに基づきＣＳＩ（「ＣＳＩ測定結果」）を推定し、ＣＳＩフィードバック（「ＣＳＩレポート」）をｅＮｏｄｅＢに伝送し、該ｅＮｏｄｅＢは、次にデータに関するプリコーダの選択においてＣＳＩを使用することができる。参照記号３において、データは、同じ物理リソースブロックをデータとしてスパニングして、ユーザ固有（すなわち専用）の復調参照シンボル（ＤＭ−ＲＳ）と共に伝送される。同じプリコーディングが、ＤＭ−ＲＳ及びデータに適用される。これにより、適用されるプリコーディングがユーザ装置に対してトランスペアレントなままとなっておりユーザ装置に信号を送る必要がないので、ｅＮｏｄｅＢは任意のプリコーディングを使用することができる。
【００２３】
１つのセル（例えば、マクロセル）に関するＣＳＩ−ＲＳ伝送に加えて、ＬＴＥ  Ｒｅｌ−１０は更に、ゼロ伝送パワーでもって他のＣＳＩ−ＲＳパターン（例えば、リソース要素のセット）を構成することを可能にする。このことは、図７を参照して以下に詳細に説明する。このパターンは、ミューティングパターンを用いてユーザ装置に信号が送られ、ｅＮｏｄｅＢがＰＤＳＣＨ上でデータを伝送する場合にどのリソース要素を空の状態にしておくかを示す。これにより、Ｒｅｌ．１１  ＵＥが、例えば、ＰＤＳＣＨ干渉が発生することなく同時に複数のセルからのＣＳＩ−ＲＳを測定することができるように（ＬＴＥ  Ｒｅｌ−１０にまだ含まれていない機能）、潜在的に将来性を考えたＣＳＩ−ＲＳ設計を考慮することが可能になる。
【００２４】
この場合の対象のネットワーク展開シナリオの１つの実施例を図４に示す。例えば、４ＴＸアンテナ１２Ｅを有するマクロｅＮｏｄｅＢ１２のサービスエリア４００の中に、全体で４つの伝送ポイント１３０−１から１３０−４により生成される４つのホットスポット４１０−１から４１０−４が存在しており、各々は、幾つか（１、２、４、又は８）の伝送アンテナ１３０Ｅ及びそれぞれの数（１、２、４、又は８）のＣＳＩ−ＲＳアンテナポートを有する。
【００２５】
伝送ポイント１３０は、マクロ伝送ポイント１２と同じセルＩＤ（識別子）を有すること、又は有さないことが可能であり、
・従来の異種ネットワークシナリオにおいて、伝送ポイント１３０は、各々が異なるセルＩＤを有する独自のセルである。
・シングルセルＣＯＭＰの場合、例えば、リモート無線ヘッド（ＲＲＨ）を通じて実装される伝送ポイント１３０等の複数の伝送ポイント／ノード並びにマクロｅＮｏｄｅＢ１２は、別々の伝送パワーを有することができ、同じ物理セルＩＤを共有し、ＵＥにより別々のＣＳＩ−ＲＳによってのみ区別される。
【００２６】
前記の両方のシナリオにおいて、全ての伝送ポイント／ノードに対して構成される全てのＣＳＩ−ＲＳアンテナポートに関してチャネル状態情報を常に監視してレポートすることは、ＵＥに対する測定オーバヘッド及びレポートオーバヘッド、従ってネットワークの観点からはＵＬ制御チャネルオーバヘッドが著しく増大させる。従って、ＵＥが、マクロｅＮｏｄｅＢ１２及び例えばユーザ装置に最も近い又は最良の信号品質を有する伝送ポイント１３０に関するＣＳＩのみを定期的に測定し、ＣＳＩレポートの伝送ポイントのこのサブセット及びユーザ装置に関する関連のＤＬ  ＣＯＭＰ動作（３ＧＰＰコミュニティにおいて「ＤＬ  ＣＯＭＰ協調セット」と呼ばれる）のみを利用することは好都合である。
【００２７】
従って、１つの代表的な課題は、ｅＮｏｄｅＢ／ネットワーク及びＵＥが、構成されるＣＳＩ−ＲＳアンテナポートのセットの中からどの伝送ポイント（ｅＮＢ及び伝送ポイント１３０）を定期的なＣＳＩ及びチャネル品質（ＣＱＩ）レポート並びにＤＬ  ＣＯＭＰ動作に含めるべきかを如何に決定するかである。従って、解決すべき問題の核心は、ネットワーク／ｅＮｏｄｅＢ及びＵＥが、ネットワークを定期的に監視し、ＣＳＩ測定結果を生成し、ネットワークにレポートするために、如何にしてＵＥがサポートされるＣＳＩ−ＲＳアンテナポートを「認知」して規定するかである。
【００２８】
本発明は、例示的な実施形態において、ＵＥで利用可能なＣＳＩ−ＲＳアンテナポート情報に基づいて、この問題に対する解決手段を提案する。例示的な実施形態は、本開示においてＣＳＩ−ＲＳミューティングパターンとも呼ばれる「ゼロパワーＣＳＩ−ＲＳビットマップ」、並びにＵＥにおけるＵＥ固有に構成される参照信号ポートを利用する。ゼロパワーＣＳＩ−ＲＳパターンに関しては、３ＧＰＰ  ＴＳ  ３６．２１１、バージョン１０．０．０に関するドラフトａ００、２０１０年１２月を参照されたい。ＣＳＩ−ＲＳミューティングパターンは、対象エリア（図４参照、同一のセルＩＤ及び／又は少数の隣接セルを有する複数の伝送ポイント（ＲＲＨ）１３０）内で構成されるＣＳＩ−ＲＳパターンを示すことができる。このミューティングパターンは、１６ビットを含み、ユーザ装置は、チャネル状態情報に関してはＣＳＩ−ＲＳ、受信データの復号に関してはＤＭ−ＲＳの利用に基づく、３ＧＰＰ  ＬＴＥ  ＤＬ伝送モード９（ＴＭ９）を利用する場合に、どの変調シンボルが、更には構成されるＵＥ固有の参照信号ポートが、ＰＤＳＣＨ復号プロセスにおいてＰＤＳＣＨからレートマッチングされるべきかを認知するようになっている。
【００２９】
この点においては、単純な実施例を用いることが有用である。１つのマクロセル４００及び４つのホットスポット４１０−１から４１０−４があり（図４に示すように）、これらは対応する伝送ポイントＡ１３０−１からＤ１３０−４によって生成されると仮定する。ＵＥは、マクロセル４００／ｅＮＢ１２に接続され、最初にマクロセルのＣＳＩ−ＲＳアンテナポートを使用するように構成され（図５及び図６のＣＳＩ−ＲＳ構成番号（＃）５を参照）、各伝送ポイント１３０は、１つのＣＳＩ−ＲＳ構成を割り当てられて、ＵＥに関して対応するミューティングパターンをもたらすと仮定する。図５及び図６に示す実施例において、伝送ポイント（Ｔ．Ｐ．）Ａ１３０−１のＣＳＩ−ＲＳアンテナポートは、２番目のミューティングパターンのエントリをもたらし、伝送ポイントＢ１３０−２は３番目、伝送ポイントＣ１３０−３は７番目、並びに伝送ポイントＤ１３０−４は図５の９番目となる。また、図５及び図６に示していないが、それぞれの構成は、ＣＳＩ−ＲＳミューティングパターン５１０（図５及び図６に示す）を使用する対象のＵＥ１０に信号が送られる隣接セル／ｅＮｏｄｅＢの使用可能なミューティングパターンエントリを含む。
【００３０】
例示的な技術は、ＤＬ  ＣＯＭＰ協調に利用可能な構成されるＣＳＩ−ＲＳアンテナポートの可能性のある数に関するＣＳＩ−ＲＳミューティングパターン５１０に含まれる情報、及びＬＴＥ  ＤＬサブフレーム（図７参照）のＰＤＳＣＨ領域内の時間周波数領域でのそれらの位置を利用し、ＣＳＩ−ＲＳミューティングパターン５１０によって、更にはＵＥに関して構成されるＣＳＩ−ＲＳパターンによって示される全てのＣＳＩ−ＲＳアンテナポートグループのチャネル品質（例えば、信号強度）を測定するようにＵＥに要求することである。例えば、本実施例において、ＵＥは、図５及び図６に示されているように、伝送ポイントＢ１３０−２、Ｃ１３０−３、及び１３０−４からＣＳＩ−ＲＳを、更にはＵＥ１０に関して構成されるＣＳＩ−ＲＳを（例えば、構成されるＵＥ固有のＣＳＩ−ＲＳレポート５１５により示されるようにマクロセル４００から）検出することができる。ゼロは、どのＣＳＩ−ＲＳアンテナポートがアクティブであるかを示すものの代わりに使用できることに留意されたい。
【００３１】
図７は、ＣＳＩ−ＲＳミューティングパターン５１０が、リソース空間７００内で如何にゼロパワーＣＳＩ−ＲＳ構成（番号付けされたリソース要素によって示される）にマッピングされるかの実施例を示すことに留意されたい。本実施例におけるリソース空間７００は、ＬＴＥ  ＤＬサブフレームのＰＤＳＣＨ領域である。ＣＳＩ−ＲＳミューティングパターン５１０内の各ビット７１０は、リソース空間７００内の４つのリソース要素７３０−１、７３０−２、７３０−３、７３０−４のセット７２０に対応する。リソース要素７３０は、特定の時間に及び特定のサブキャリア上で出現するＯＦＤＭシンボルである。例えば、３ＧＰＰ  ＴＳ  ３６．２１１バージョン１０．０．０（２０１０年１２月）、詳細にはＬＴＥ  ＤＬサブフレームのＰＤＳＣＨ領域の説明に関する６．２．２を参照されたい。ゼロパワーＣＳＩ−ＲＳ構成の主たる目的は、隣接セル間でのＣＳＩ−ＲＳ干渉を回避することである。また、ゼロパワーＣＳＩ−ＲＳ構成は、正確なインターセルＣＳＩ測定結果を提供し、将来のＣｏＭＰパフォーマンスを保証する。ゼロパワーＣＳＩ−ＲＳ構成は、特有のデューティサイクル及びオフセットを有するＣＳＩ−ＲＳから独立している。ミューティングは、常にＰＲＢ（物理リソースブロック）に関してフルバンドで構成される。１６ビット７１０は、どのリソース要素がミューティングされて、共通の及びＴＤＤのみのパターンの両方をカバーする必要あるかを示すために使用される。各ビットは、例えば、４ＴｘアンテナポートＣＳＩ−ＲＳパターンに従う４つのリソース要素に対応する。すなわち、セル又は伝送ポイント（マクロ又はホットスポット）に関するＣＳＩ−ＲＳ構成は、アンテナの数に応じて２、４、又は８のＲＥを必要とする場合がある。４本のアンテナに関しては、４つのＲＥが必要とされる。ミューティングパターンにおけるあらゆるビットは、４つのＲＥに対応するので、これは、４つのＲＥが隣接セル又は同一の論理セルに属する伝送ポイント内の４Ｔｘ  ＣＳＩ−ＲＳの可能性のある構成に対応するように設計されている。２つのビットがミューティングパターンにおいて「ｏｎ」である場合には、このようなビットは、２つの別々の４Ｔｘ  ＣＳＩ−ＲＳ構成（隣接セル又は伝送ポイント内の）と一致することができるか、又は隣接セル／伝送ポイント内の８Ｔｘ  ＣＳＩ−ＲＳ構成と一致することができる。図７に示す実施例において、ビット７１０−３は、図示の位置のリソース要素７３０−１、７３０−２、７３０−３、及び７３０−４を有するセット７２０に対応する。セット７２０は、他の数のリソース要素を含むことができることに留意されたい。
【００３２】
つまり、図４のＵＥ１０は、ＣＳＩ−ＲＳミューティングパターン５１０並びにＵＥ固有に構成されるＣＳＩ−ＲＳポート５１５を使用して、リソース要素７３０のどのセット７２０が他の伝送ポイントからのチャネル品質を測定するために使用する必要があるかを判定する。伝送ポイントＡ１３０−１は、４つのリソース要素７３０−１から７３０−４内の２つの参照シンボル上でＣＳＩ参照信号を伝送するように構成される。更に、他の伝送ポイントＢ１３０−２、Ｃ１３０−３、及びＤ１３０−４は同様に、図７に示すように、リソース要素７３０のそれぞれのセット７２０においてＣＳＩ参照信号を伝送するように構成される。また、ＵＥ１０は、ＵＥに関して構成されるＣＳＩ−ＲＳアンテナポート５１５（例えば、マクロセル４００からの）を含むリソース要素のセット７２０のチャネル品質測定を実行する。
【００３３】
次に、レポート５２０は、ＵＥ１０によってｅＮｏｄｅＢに送信される。レポート５２０−１の粒度は、ミューティングビットマップ内、すなわち、図５に示す４つのＣＳＩ−ＲＳアンテナポートのグループと同様とすることができる。もしくは、レポート５２０−２は、図６の実施例のように、ＣＳＩ−ＲＳアンテナポートレベルの粒度に基づくものとすることができる。レポート５２０に基づき、ｅＮｏｄｅＢは、ＣＳＩ−ＲＳアンテナポートグループの信号強度を認識し、結果的に、ＵＥが、別のＣＯＭＰに関するＵＥ固有の方法又は標準のＲｅｌ．１０  ＴＭ９動作において、ＣＳＩ−ＲＳアンテナポート（例えば、マクロｅＮｏｄｅＢセルと他の伝送ポイントとを組み合わせたアンテナポートの中の最大８アンテナポート）の最良のサブセットを利用するように構成することができる。
【００３４】
ＣＯＭＰ協調セット定義は、図８に示すような以下の例示的な動作に関するものとみなすことができる。
【００３５】
１．ｅＮｏｄｅＢは、ＣＳＩ−ＲＳミューティングパターン５１０並びにＵＥ固有のＣＳＩ−ＲＳ構成５１５をＵＥに知らせる。
【００３６】
２．ｅＮｏｄｅＢは、ＣＳＩ−ＲＳパターン（ＣＳＩ−ＲＳミューティングパターン５１０により示されるセット７２０に対応する）及び構成されるＵＥ固有のＣＳＩ−ＲＳアンテナポート５１５（例えば、最初のＣＯＭＰ協調セット探索の実施例におけるマクロセルからの）の様々なセットのチャネル品質についてＵＥからのレポートを要求する。
【００３７】
３．ＵＥは、個々のＣＳＩ−ＲＳパターンセット（図７に示されているＣＳＩ−ＲＳミューティングパターン５１０及び構成されるＵＥ固有のＣＳＩ−ＲＳアンテナポート５１５により示される４つのＣＳＩ−ＲＳパターン／ポートを含む各セット）のチャネル品質をチェックする。
【００３８】
ａ．これに関連してチャネル品質の定義は、例えば、以下を含むことができる。
【００３９】
ｉ．レポート粒度内のパターン／ポート（例えば、１つ又は４つのＣＳＩ−ＲＳアンテナポート）上の、もしくはレポート粒度セット内の最高強度／最良のパターンの平均受信ＣＳＩ−ＲＳパワー。
【００４０】
ｉｉ．レポート粒度内のパターン／ポート上の、もしくはレポート粒度セットの範囲内での最高強度／最良のパターンの平均受信ＳＩＮＲ（信号対干渉及び雑音比）。
【００４１】
ｉｉｉ．レポート粒度内のそれぞれのアンテナポートをＰＤＳＣＨデータ伝送（すなわち、ＬＴＥのＣＱＩ定義と同様の）で使用したと仮定した、予測データスループット。もしくは、レポート粒度内の最高強度のアンテナポートだけを考慮することができる。
【００４２】
４．ＵＥは、測定結果をｅＮｏｄｅＢにレポートする。レポートは、ＣＳＩ測定結果と同様に例えばレイヤ１（Ｌ１）シグナリング、又はＬＴＥにおけるＲＳＲＰ／ＲＳＲＱ測定の場合と同様にＭＡＣ（媒体アクセス制御）手続きを使用して実行することができる。様々なレポート粒度及び情報は、レポート５２０に関するものとみなすことができる。
【００４３】
ａ．最良のＣＳＩ−ＲＳパターンセットのビットマップ（例えば、ミューティングパターン及びＵＥ固有に構成されるＣＳＩ−ＲＳアンテナポートにより示されるＣＳＩ−ＲＳパターンのサブセット）がｅＮｏｄｅＢに折り返しレポートされる。このような情報は、レポート粒度内のＣＳＩ−ＲＳパターンに関する識別子のみを与えるが、個々のＣＳＩ−ＲＳパターン又はパターンセットの品質を与えない。
【００４４】
ｂ．ＣＳＩ−ＲＳパターンの最高強度／最良のセットと比べた相対的なチャネル品質と一緒にＣＳＩ−ＲＳパターンのセットを表示する。例えば、ＵＥは、４つのビット（１６セットの中から）を有するＣＳＩ−ＲＳパターンの最高強度／最良のセット、及び劣っているＣＳＩ−ＲＳパターンの各セットに関する指標を送ることができ、ＵＥは、最高強度のセットのものと比べた相対的なパフォーマンス／品質を表示する。また、ＵＥは、ＣＳＩ−ＲＳパターンの最高強度のセットに対応するパフォーマンス／品質を表示することもできる。このようなレポートは、大きなシグナリングオーバヘッドを必要とするが、特定のＵＥの各々に関するＣＯＭＰ協調の選択において、良好でより詳細な情報をｅＮｏｄｅＢに提供する。
【００４５】
ｅＮｏｄｅＢは、ＵＥが最終的なレポート５２０を如何に作成するかを案内するために、特定の測定制約条件をＵＥに与える。
【００４６】
ｉ．選択は、関連するレポート粒度に応じて、ＣＳＩ−ＲＳパターンのＮ個の最高強度／最良のセットに基づくことができる。Ｎの値は、ｅＮｏｄｅＢにより上層信号方式を使用することで設定できる。従って、ＵＥは、ＣＳＩ−ＲＳパターンのＮ個の最高強度／最良のセットを正確にレポートする。
【００４７】
ｉｉ．ｅＮｏｄｅＢは、ＵＥが最良品質／パフォーマンスのＣＳＩ−ＲＳパターンと比べた相対的な品質／パフォーマンス測定を考慮するように案内する。従って、ＵＥは、このような要求を満たす（例えば、品質／パフォーマンス差異に基づくＣＳＩ−ＲＳパターンのレポートされるセットの数）ＣＳＩ−ＲＳパターンのセット（同様に、レポート粒度に応じて）のみをレポートする。
【００４８】
ｉｉｉ．また、ｅＮｏｄｅＢは、前記のレポートのとおりにレポートすること（例えば、単にＣＳＩ−ＲＳパターンの利用可能なセットの中で良好なもの表示すること）、又は前記のような良好なレポートを必要とすることをＵＥに要求することができる。
【００４９】
５．ｅＮｏｄｅＢは、ＵＥからレポート５２０を受信してＵＥ固有のＣＯＭＰ協調セットを判定する。このことは、伝送ポイントが、どのＣＳＩ−ＲＳアンテナポートを、監視される特定のＵＥの各々に、及びＴＭ９（シングルセルＣＯＭＰを含む）でのＤＬ動作のためにＵＥによって提供されるＣＳＩ情報に割り当てるかを、ｅＮｏｄｅＢが決定することを意味する。
【００５０】
６．ｅＮｏｄｅＢは、更新されたＣＳＩ−ＲＳアンテナポートについてＵＥに表示し、ＵＥは適宜監視する必要があり、ＵＥの動作に基づく必要があり、同様にＣＳＩ情報はＵＥにより提供される。一般に、ＣＳＩ−ＲＳアンテナポートは、ＵＥが受信可能な特定のポートに限定される。
【００５１】
７．ＵＥは、例えばＬＴＥの標準のＣＳＩ−ＲＳベースＤＬ動作によるＵＥ固有のＣＳＩ−ＲＳ構成に基づきチャネル品質測定を実行する。
【００５２】
ｅＮｏｄｅＢは、（２）から（４）のレポート要求を定期的に引き起こし、シングルセルＩＤ  ＣＯＭＰ動作に関する最良の可能性のあるＣＯＭＰ協調を長期的に追跡し続けることができることに留意されたい。
【００５３】
図９を参照すると、マルチ伝送ポイントを含む参照信号ポートの発見に関して、ユーザ装置が実行する例示的な方法のブロック図が示されている。図９及び図１０の実施例において、第１の伝送ポイントは、ｅＮｏｄｅＢ１２である。しかしながら、セル内の他の伝送ポイントはこのような動作を実行可能である。ブロック９０５において、ユーザ装置は、測定されるＵＥ固有の参照信号パターンの表示をセル内の第１の伝送ポイントから受信する。ブロック９１０において、ユーザ装置は、セル内の第１の伝送ポイントから情報を受信する。この情報は、参照信号パターンのセット、及び参照信号パターンのどのセットが第１の伝送ポイントによるＤＬ伝送の特定のフレームに関してゼロ伝送パワー（例えば、ＣＳＩ−ＲＳミューティングパターンにより示される）を有するかを示している。全ての参照信号パターンのセットは、セル又は隣接セル内の１つ又はそれ以上の他の伝送ポイントの１つに対応することができる。
【００５４】
ユーザ装置は、チャネル品質測定のためにＣＳＩ−ＲＳミューティングパターンを使用してもよく、又は使用しなくてもよい。ユーザ装置がチャネル品質測定を行うためにＣＳＩ−ＲＳミューティングパターンを使用する必要がある場合、ユーザ装置は、これについて連絡を受ける必要がある。このために複数の選択肢が想定される。
【００５５】
例えば、ブロック９１５において、ユーザ装置は、選択肢として、第１の伝送ポイントからユーザ装置が第１の伝送ポイントにレポートすることになるチャネル品質情報のシグナリングを受信する。すなわち、第１の伝送ポイントは、前記のステップ４におけるどのシナリオがチャネル品質をレポートするために使用されるかを表示する。別の選択肢は、ブロック９１６に示されており、ユーザ装置は、第１の伝送ポイントからシグナリングを受信して、情報（例えば、ＣＳＩ−ＲＳミューティングパターン）を使用してチャネル品質測定を実行する。更に別の選択肢はブロック９１７に示されており、ユーザ装置は、情報（例えば、ＣＳＩ−ＲＳミューティングパターン）を使用してチャネル品質測定を常に実行するように構成される（例えば、最初の又は更新されたソフトウェアと共に）。
【００５６】
従って、ブロック９１９において、ユーザ装置は、該ユーザ装置がチャネル品質の測定結果に関する表示された参照信号パターンセットを使用する必要があるか否かを判定する。使用しない場合（ブロック９１９がＮＯ）、ユーザ装置は、ブロック９０５で受信したユーザ装置固有の参照信号パターンに関するチャネル品質を測定してレポートする（ブロック９１９）。
【００５７】
ブロック９２０において（ブロック９１９がＹＥＳの場合に実行される）、受信した情報に基づき、ユーザ装置は、表示された参照信号パターンのセット（ブロック９１０において受信した）、及びＵＥ固有の参照信号パターン（ブロック９０５において受信した）に関してチャネル品質を測定する。
【００５８】
ブロック９３０において、ユーザ装置は、表示された参照信号パターンのセット及びＵＥ固有の参照信号パターンに関して測定されるチャネル品質の表示を第１の伝送ポイントにレポートする。ＵＥ固有の参照信号パターンは、個別に伝送することができることに留意されたい。このような表示は、ブロック９１５において受信される信号に合致している。ブロック９４０において、ユーザ装置は、該ユーザ装置が測定すべきＣＳＩ−ＲＳパターンの更新されたユーザ装置固有のグループ及び第１の伝送ポイントに送信されるチャネル品質情報の表示シグナリングを受信する。
【００５９】
図１０では、セル内での複数の伝送ポイントを含む参照信号ポートの発見に関する、セル内の第１の伝送ポイント（ｅＮｏｄｅＢ１２のような）で実行される例示的な方法のブロック図が示されている。ブロック１００５において、第１の伝送ポイントは、ＵＥ固有の参照信号パターンの表示をＵＥに伝送する。ブロック１０１０において、第１の伝送ポイントは、セル内のユーザ装置に情報を伝送する。この情報は、第１の伝送ポイントによるＤＬ伝送の特定のフレームに関して、ゼロ伝送パワーを有する参照信号パターンのセットを示す（例えば、ＣＳＩ−ＲＳミューティングパターンによって示される）。このような情報によって示される完全な参照信号パターンのセットは、セル又は隣接セル内の１つ又はそれ以上の他の伝送ポイントの１つに対応することができる。
【００６０】
ブロック１０１１において、伝送ポイントは、ユーザ装置がチャネル品質の測定に関して表示された参照信号パターンのセットを使用する必要があるか否かを判定する。使用する必要がない場合（ブロック１０１１がＮＯである）、ブロック１０１９において、伝送ポイントは、ユーザ装置固有の参照信号パターン（ブロック１００５に対応する）に関してチャネル品質のレポートをユーザ装置から受信する。使用する必要がある場合（ブロック１０１１がＹＥＳである）、伝送ポイントは、ブロック１０１５、１０１６、又は１０１７の１つを選択する。
【００６１】
ブロック１０１５において、伝送ポイントは、ユーザ装置によって提供されるチャネル品質情報を判定し（図８を参照してステップ４を参照されたい）、この情報をユーザ装置に知らせる。ブロック１０１６において、伝送ポイントは、ユーザ装置がブロック１０１０で伝送された情報を使用してチャネル品質測定を常時実行するように既に構成されているか否かを判定し、伝送ポイントは何のアクションも起こさない。
【００６２】
ブロック１０２０において、伝送ポイントは、表示された参照信号パターンのセット及び一般的に更にＵＥ固有の参照信号パターンに関して測定されたチャネル品質の表示をユーザ装置から受信する。ブロック１０３０において、伝送ポイントは、ＵＥに関するＣＳＩ−ＲＳパターンの更新されたユーザ装置固有のグループを判定する。ブロック１０５０において、伝送ポイントは、ＣＳＩ−ＲＳパターンのセットの更新かつ判定されたユーザ装置固有のグループの表示を伝達する。
【００６３】
添付の請求項の範囲、解釈、又は用途を限定することなく、本明細書に開示される例示的な実施形態の１つ又はそれ以上の技術的効果は、情報、例えばＣＳＩ−ＲＳパターンのようなパターンを使用して、どのＣＳＩ−ＲＳパターンのセットのチャネル品質を測定すべきかをユーザ装置に示し、ユーザ装置はチャネル品質測定の結果について伝送ポイントに伝える。
【００６４】
本発明の実施形態は、ソフトウェア、ハードウェア、アプリケーションロジック、又はソフトウェアとハードウェアとアプリケーションロジックとの組み合わせたもので実装することができる。例示的な実施形態において、アプリケーションロジック、ソフトウェア、又は命令セットは、様々な任意の従来のコンピュータ可読媒体に保持される。本明細書の文脈において、「コンピュータ可読媒体」は、例えば、図１で説明したコンピュータの１つの実施例のコンピュータのような、命令実行システム、装置、又はデバイスによって、又はそれらと関連して使用するために、命令を収容、格納、通信、伝搬、又は伝送することができる任意の媒体又は手段とすることができる。コンピュータ可読媒体は、コンピュータのような、命令実行システム、装置、又はデバイスによって、又はそれらと関連して使用するために、命令を収容又は格納することができる任意の媒体又は手段とすることができるコンピュータ可読記憶媒体を含むことができる。
【００６５】
必要に応じて、本明細書において説明した様々な機能は、異なる順番で、及び／又は互いに同時に実行することができる。更に、必要に応じて、前記の機能の１つ又はそれ以上は、任意選択とすることができ、或いは組み合わせることができる。
【００６６】
本発明の様々な態様は、独立請求項において明確に示されているが、本発明の他の態様は、記載された実施形態からの機能の組み合わせ及び／又は従属請求項の特徴部を独立請求項に組み合わせたもの、並びに請求項に明確に記載された単なる組み合わせではないものを含む。
【００６７】
前記に本発明の例示的な実施形態を説明したが、このような説明は限定的ではないこと留意されたい。むしろ、添付の特許請求の範囲で定義される本発明の範囲から逸脱することなく、様々な変形及び変更を行うことができる。
【符号の説明】
【００６８】
１０  ユーザ装置
１２  ｅＮＢ
１３０  伝送ポイント
４００  サービスエリア
４１０  ホットスポット
【図１】
2018023130.tif 000003
【図２】
2018023130.tif 000004
【図３】
2018023130.tif 000005
【図４】
2018023130.tif 000006
【図５】
2018023130.tif 000007
【図６】
2018023130.tif 000008
【図７】
2018023130.tif 000009
【図８】
2018023130.tif 000010
【図９−１】
2018023130.tif 000011
【図９−２】
2018023130.tif 000012
【図１０−１】
2018023130.tif 000013
【図１０−２】
2018023130.tif 000014
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
１つ又はそれ以上の参照信号パターンのセットを表示する情報を通信デバイスから該通信デバイスに関するチャネル品質測定のために受信する段階であって、該１つ又はそれ以上の参照信号パターンのセットが、チャネル品質測定を該通信デバイスに対してレポートするために該１つ又はそれ以上の参照信号パターンのセットからどの参照信号パターンが選択されるかを示す１つ又はそれ以上のミューティング参照信号パターンを含み、該１つ又はそれ以上のミューティング参照信号パターンが、該通信デバイスによる伝送の特定のフレームに関してゼロ伝送パワーを有する段階と、
前記通信デバイスからの前記１つ又はそれ以上のミューティング参照信号パターンに基づいて、前記通信デバイスに関する前記表示された１つ又はそれ以上の参照信号パターンのセットの前記選択された参照信号パターンに亘って前記通信デバイスに関するチャネル品質を測定する段階と、
前記通信デバイスに関する前記選択された参照信号パターンに亘って測定されるチャネル品質の指標を、該通信デバイスにレポートする段階と、
を含む方法。
【請求項２】
前記情報が、ビットのパターンを含み、該ビットの各々が、チャネル品質に関して測定されるべき参照信号パターンのセットを示す、請求項１に記載の方法。
【請求項３】
前記パターンが、ゼロパワーチャネル状態情報−参照信号ビットマップを含む、請求項２に記載の方法。
【請求項４】
前記方法は、チャネル品質に関して測定されるべきユーザ装置固有の参照信号パターンの表示を受信する段階を更に含み、
前記測定する段階は、チャネル品質に関して前記ユーザ装置固有の参照信号パターンを測定する段階を更に含み、
前記レポートする段階は、前記表示された参照信号パターンの１つ又はそれ以上のセット及び前記ユーザ装置固有の参照信号パターンの両方に関して測定されるチャネル品質をレポートする段階を更に含む、請求項１に記載の方法。
【請求項５】
前記測定されるチャネル品質の指標をレポートする段階は、前記表示された参照信号パターンの１つ又はそれ以上のセットの少なくとも１つに関して、対応する測定されるチャネル品質が所定の閾値に達しているか否かをレポートする段階を更に含む、請求項１に記載の方法。
【請求項６】
前記測定する段階は、前記表示された参照信号パターンの１つ又はそれ以上のセットの少なくとも１つに関して、複数のポートに関するチャネル品質を測定する段階を更に含み、
前記レポートする段階は、前記表示された参照信号パターンの１つ又はそれ以上のセットの少なくとも１つ及び対応する複数のポートに関して、対応する測定されるチャネル品質が所定の閾値に達しているか否かをレポートする段階を更に含む、請求項１に記載の方法。
【請求項７】
前記測定する段階は、チャネル状態情報−参照信号レポート要求メッセージに応じて実行される、請求項１に記載の方法。
【請求項８】
前記レポートする段階は、チャネル状態情報−参照信号品質レポートメッセージを使用して実行される、請求項１に記載の方法。
【請求項９】
前記通信デバイスが、セル内にあり、
複数の他の伝送ポイントの少なくとも１つが、前記セル内にあり、
前記複数の他の伝送ポイントの更に別の少なくとも１つが、１つ又はそれ以上の隣接セル内にある、請求項１に記載の方法。
【請求項１０】
前記チャネル品質を測定する段階が、前記表示された参照信号パターンの１つ又はそれ以上のセットが信号品質に関して測定されるべきであると表示する前記通信デバイスからのシグナリングに応じて実行される、請求項１に記載の方法。
【請求項１１】
前記受信する段階、前記測定する段階、及び前記レポートする段階は、ユーザ装置によって実行され、前記チャネル品質を測定する段階は、前記表示された参照信号パターンの１つ又はそれ以上のセットが信号品質に関して測定される必要があることを示す前記ユーザ装置の内部構成に応じて実行される、請求項１に記載の方法。
【請求項１２】
１つ又はそれ以上のプロセッサと、
コンピュータプログラムコードを含む１つ又はそれ以上のメモリと、
を備える装置であって、
前記１つ又はそれ以上のメモリ及び前記コンピュータプログラムコードは、前記１つ又はそれ以上のプロセッサを用いて、前記装置に、少なくとも、
１つ又はそれ以上の参照信号パターンのセットを表示する情報を通信デバイスから該通信デバイスに関するチャネル品質測定のために受信する段階であって、該１つ又はそれ以上の参照信号パターンのセットが、チャネル品質測定を該通信デバイスに対してレポートするために該１つ又はそれ以上の参照信号パターンのセットからどの参照信号パターンが選択されるかを示す１つ又はそれ以上のミューティング参照信号パターンを含み、該１つ又はそれ以上のミューティング参照信号パターンが、該通信デバイスによる伝送の特定のフレームに関してゼロ伝送パワーを有する段階と、
前記通信デバイスからの前記１つ又はそれ以上のミューティング参照信号パターンに基づいて、前記通信デバイスに関する前記表示された１つ又はそれ以上の参照信号パターンのセットの前記選択された参照信号パターンに亘って前記通信デバイスに関するチャネル品質を測定する段階と、
前記通信デバイスに関する前記選択された参照信号パターンに亘って測定されるチャネル品質の指標を、該通信デバイスにレポートする段階と、
を実行させるように構成される装置。
【請求項１３】
前記情報が、ビットのパターンを含み、該ビットの各々が、チャネル品質に関して測定されるべき参照信号パターンのセットを示す、請求項１２に記載の装置。
【請求項１４】
前記パターンが、ゼロパワーチャネル状態情報−参照信号ビットマップを含む、請求項１３に記載の装置。
【請求項１５】
前記少なくとも１つのメモリ及び前記コンピュータプログラムコードは更に、前記少なくとも１つのプロセッサを用いて、前記装置に、少なくとも、
前記チャネル品質に関して測定されるべきユーザ装置固有の参照信号パターンの表示を受信させるように構成され、
前記測定する段階は、チャネル品質に関して前記ユーザ装置固有の参照信号パターンを測定する段階を更に含み、
前記レポートする段階は、前記表示された参照信号パターンの１つ又はそれ以上のセット及び前記ユーザ装置固有の参照信号パターンの両方に関して測定されるチャネル品質をレポートする段階を更に含む、請求項１２に記載の装置。
【請求項１６】
コンピュータと共に使用するために組み込まれるコンピュータプログラムコードを保持するコンピュータ可読メモリであって、前記コンピュータプログラムコードは、
１つ又はそれ以上の参照信号パターンのセットを表示する情報を通信デバイスから該通信デバイスに関するチャネル品質測定のために受信する段階であって、該１つ又はそれ以上の参照信号パターンのセットが、チャネル品質測定を該通信デバイスに対してレポートするために該１つ又はそれ以上の参照信号パターンのセットからどの参照信号パターンが選択されるかを示す１つ又はそれ以上のミューティング参照信号パターンを含み、該１つ又はそれ以上のミューティング参照信号パターンが、該通信デバイスによる伝送の特定のフレームに関してゼロ伝送パワーを有する段階を実行するためのコードと、
前記通信デバイスからの前記１つ又はそれ以上のミューティング参照信号パターンに基づいて、前記通信デバイスに関する前記表示された１つ又はそれ以上の参照信号パターンのセットの前記選択された参照信号パターンに亘って前記通信デバイスに関するチャネル品質を測定する段階を実行するためのコードと、
前記通信デバイスに関する前記選択された参照信号パターンに亘って測定されるチャネル品質の指標を、該通信デバイスにレポートする段階を実行するためのコードと、
を含む、コンピュータ可読メモリ。
【請求項１７】
１つ又はそれ以上の参照信号パターンのセットを表示する情報を通信デバイスからユーザ装置に伝送する段階であって、該１つ又はそれ以上の参照信号パターンのセットが、チャネル品質測定を該通信デバイスに対してレポートするために該１つ又はそれ以上の参照信号パターンのセットからどの参照信号パターンが選択されるかを該ユーザ装置に示す１つ又はそれ以上のミューティング参照信号パターンを含み、該１つ又はそれ以上のミューティング参照信号パターンが、該通信デバイスによる伝送の特定のフレームに関してゼロ伝送パワーを有する段階と、
前記通信デバイスからの前記１つ又はそれ以上のミューティング参照信号パターンに基づいて、前記表示された１つ又はそれ以上の参照信号パターンのセットの前記選択された参照信号パターンに亘って測定される前記通信デバイスに関するチャネル品質の指標を、前記ユーザ装置から受信する段階と、
を含む方法。
【請求項１８】
前記ユーザ装置が測定すべき参照信号パターンの前記ユーザ装置固有のセットを判定する段階と、
前記ユーザ装置が測定すべき参照信号パターンの前記判定されたユーザ装置固有のセットの表示を前記ユーザ装置に送る段階と、
を更に含む、請求項１７に記載の方法。
【請求項１９】
前記測定されるチャネル品質に関して、前記ユーザ装置が前記通信デバイスに提供するチャネル品質情報を判定する段階と、
前記判定されたチャネル品質情報の表示を前記ユーザ装置に送る段階と、
を更に含む、請求項１７に記載の方法。
【請求項２０】
チャネル状態情報−参照信号レポート要求メッセージを前記ユーザ装置に送信して、前記ユーザ装置が前記チャネル品質を測定するように要求する段階を更に含む、請求項１７に記載の方法。
【請求項２１】
前記受信する段階は、チャネル状態情報−参照信号品質レポートメッセージを受信する段階を含む、請求項１７に記載の方法。
【請求項２２】
前記通信デバイスが、セル内にあり、
複数の他の伝送ポイントの少なくとも１つが、前記セル内にあり、
前記複数の他の伝送ポイントの更に別の少なくとも１つが、１つ又はそれ以上の隣接セル内にある、請求項１７に記載の方法。
【請求項２３】
前記受信する段階に先だって、前記１つ又はそれ以上の参照信号パターンのセットが信号品質に関して測定されるべきであることの表示を前記ユーザ装置に送る段階を更に含む、請求項１７に記載の方法。
【請求項２４】
１つ又はそれ以上のプロセッサと、
コンピュータプログラムコードを含む１つ又はそれ以上のメモリと、
を備える装置であって、
前記１つ又はそれ以上のメモリ及び前記コンピュータプログラムコードは、前記１つ又はそれ以上のプロセッサを用いて、前記装置に、少なくとも、
１つ又はそれ以上の参照信号パターンのセットを表示する情報を通信デバイスから該通信デバイスに関するチャネル品質測定のためにユーザ装置に伝送する段階であって、該１つ又はそれ以上の参照信号パターンのセットが、チャネル品質測定を該通信デバイスに対してレポートするために該１つ又はそれ以上の参照信号パターンのセットからどの参照信号パターンが選択されるかを該ユーザ装置に示す１つ又はそれ以上のミューティング参照信号パターンを含み、該１つ又はそれ以上のミューティング参照信号パターンが、該通信デバイスによる伝送の特定のフレームに関してゼロ伝送パワーを有する段階と、
前記通信デバイスからの前記１つ又はそれ以上のミューティング参照信号パターンに基づいて、前記表示された１つ又はそれ以上の参照信号パターンのセットの前記選択された参照信号パターンに亘って測定される前記通信デバイスに関するチャネル品質の指標を、前記ユーザ装置から受信する段階と、
を実行させるように構成される装置。
【請求項２５】
前記少なくとも１つのメモリ及び前記コンピュータプログラムコードは、前記少なくとも１つのプロセッサを用いて、前記装置に、少なくとも、
前記ユーザ装置が測定すべき参照信号パターンの前記ユーザ装置固有のセットを判定する段階と、
前記ユーザ装置が測定すべき参照信号パターンの前記判定されたユーザ装置固有のセットの表示を前記ユーザ装置に送る段階と、
を更に実行させるように構成される、請求項２４に記載の装置。
【請求項２６】
前記少なくとも１つのメモリ及び前記コンピュータプログラムコードは、前記少なくとも１つのプロセッサを用いて、前記装置に、少なくとも、
前記測定されるチャネル品質に関して、前記ユーザ装置が前記通信デバイスに提供するチャネル品質情報を判定する段階と、
前記判定されたチャネル品質情報の表示を前記ユーザ装置に送る段階と、
を更に実行させるように構成される、請求項２５に記載の装置。
【請求項２７】
コンピュータと共に使用するために組み込まれるコンピュータプログラムコードを保持するコンピュータ可読メモリであって、前記コンピュータプログラムコードは、
１つ又はそれ以上の参照信号パターンのセットを表示する情報を通信デバイスから該通信デバイスに関するチャネル品質測定のためにユーザ装置に伝送する段階であって、該１つ又はそれ以上の参照信号パターンのセットが、チャネル品質測定を該通信デバイスに対してレポートするために該１つ又はそれ以上の参照信号パターンのセットからどの参照信号パターンが選択されるかを該ユーザ装置に示す１つ又はそれ以上のミューティング参照信号パターンを含み、該１つ又はそれ以上のミューティング参照信号パターンが、該通信デバイスによる伝送の特定のフレームに関してゼロ伝送パワーを有する段階を実行するためのコードと、
前記通信デバイスからの前記１つ又はそれ以上のミューティング参照信号パターンに基づいて、前記表示された１つ又はそれ以上の参照信号パターンのセットの前記選択された参照信号パターンに亘って測定される前記通信デバイスに関するチャネル品質の指標を、前記ユーザ装置から受信する段階を実行するためのコードと、
を含む、コンピュータ可読メモリ。